(57)【要約】      （修正有）【課題】各構成部材相互の位置関係を正確にすることを可能とする光学部材および反射ミラーを提供する。【解決手段】生成された画像光を出射する鏡筒１０と、画像光を反射する曲面を有する反射ミラー２０とを有する光学部材１において、反射ミラー２０の曲面の裏側面は、鏡筒１０と反射ミラー２０との相互位置関係調整用の平面２２を有する。また、反射ミラー２０の曲面は、放物線をその対称軸を中心として回転させた放物面であり、反射ミラー２０の曲面の裏側面は、対称軸と実質的に垂直な平面２２を有する。また、反射ミラー２０の曲面の裏側面は、反射ミラー２０の光軸と垂直の、平面２２を有する。【選択図】図１
2019003207.tif 000002
【特許請求の範囲】
【請求項１】
生成された画像光を反射する曲面を有する反射ミラーと、上記反射ミラーを保持する第１ミラー保持部材またはミラー第１保持部材と、を有し、
上記反射ミラーを囲む端面のうち、上端面と下端面とを接続する二つの側端面は、上記画像光が出射される側へ向かう方向に開口するよう切り欠かれている溝状の係合部を有し、且つ以下の（１）または（２）のいずれかの構成を有することを特徴とする光学部材。
（１）上記二つの側端面とそれぞれ対向する、上記第１ミラー保持部材の対向する一対の面に配置される２つの突起物が、上記溝状の係合部に入り込んで上記溝状の係合部と係合し、
上記２つの突起物を結ぶ軸を回転軸として上記反射ミラーを回転動作可能にする。
（２）上記二つの側端面とそれぞれ対向する、上記ミラー第１保持部材の対向する一対の面に配置される２つの突起部が、上記溝状の係合部に入り込んで上記溝状の係合部と係合し、
上記２つの突起部を結ぶ軸を回転軸として上記反射ミラーを回転動作可能にする。
【請求項２】
上記反射ミラーは、上記下端面１３３に上記画像光が出射される方向に貫通する穴部１３５が形成され、
上記ミラー第１保持部材は、下端面１４５に上記画像光が出射される方向に貫通する穴部１４７が形成され、
上記反射ミラーを上記ミラー第１保持部材へ収容した際に、上記穴部１３５と上記穴部１４７とは重なり合い、
上記穴部１３５と上記穴部１４７との間の空間に圧縮バネが配置され、
上記穴部１３５と上記穴部１４７および圧縮バネを挿通するように調整用ネジが配置される、請求項１に記載の光学部材。
【請求項３】
画像光を反射する曲面および上記曲面の裏側面を有する反射ミラーと、上記反射ミラーを保持する第１ミラー保持部材またはミラー第１保持部材と、を有し、
上記反射ミラーを囲む端面のうち、上端面と下端面とを接続する二つの側端面は、上記裏側面から上記曲面へ向かう方向に開口するよう切り欠かれている溝状の係合部を有し、且つ以下の（１）または（２）のいずれかの構成を有することを特徴とする光学部材。
（１）上記二つの側端面とそれぞれ対向する、上記第１ミラー保持部材の対向する一対の面に配置される２つの突起物が、上記溝状の係合部に入り込んで上記溝状の係合部と係合し、
上記２つの突起物を結ぶ軸を回転軸として上記反射ミラーを回転動作可能にする。
（２）上記二つの側端面とそれぞれ対向する、上記ミラー第１保持部材の対向する一対の面に配置される２つの突起部が、上記溝状の係合部に入り込んで上記溝状の係合部と係合し、
上記２つの突起部を結ぶ軸を回転軸として上記反射ミラーを回転動作可能にする。
【請求項４】
上記係合部は、上記反射ミラーの光軸に沿った方向に開口するように切り欠かれている、請求項３に記載の光学部材。
【請求項５】
上記反射ミラーは、上記下端面１３３に上記裏側面側から上記曲面側に貫通する穴部１３５が形成され、
上記ミラー第１保持部材は、下端面１４５に上記裏側面側から上記曲面側に貫通する穴部１４７が形成され、
上記反射ミラーを上記ミラー第１保持部材へ収容した際に、上記穴部１３５と上記穴部１４７とは重なり合い、
上記穴部１３５と上記穴部１４７との間の空間に圧縮バネ１７１が配置され、
上記穴部１３５と上記穴部１４７および圧縮バネ１７１を挿通するように調整用ネジ１７２が配置される、請求項３または４に記載の光学部材。
【請求項６】
上記反射ミラーは、上記上端面１３０に上側突起部１３２を有し、
上記ミラー第１保持部材は、上記回転軸方向中央に位置調整用溝部１４２が形成され、
上記反射ミラーを上記ミラー第１保持部材へ収容した際に、上記上側突起部１３２が上記位置調整用溝部１４２に入り込み、
上記上側突起部１３２が上記位置調整用溝部１４２に入り込んだ状態を維持するように、上記上側突起部１３２が上記位置調整用溝部１４２に押し付けられるように、板バネ１５１が設置される、請求項１から５のいずれか１項に記載の光学部材。
【請求項７】
上記反射ミラーは、曲面と、前記曲面の裏側に配置され上記反射ミラーの光軸と垂直な相互位置関係調整用の平面を有する、請求項１から６のいずれか１項に記載の光学部材。
【請求項８】
上記ミラー第１保持部材は、上記反射ミラーを保持するミラー第２保持部材に保持され、
上記ミラー第１保持部材のＸ軸方向両端には、陥没した陥没部１９１，１９１の底面をＹ軸方向に貫通する２つの穴部１９２，１９２が形成され、
上記ミラー第２保持部材は、そのＸ軸方向両端に、Ｙ軸方向に貫通する２つのネジ穴部１９３，１９３であって、上記穴部１９２，１９２と貫通するものが形成され、
上記ミラー第１保持部材のＸ軸方向両端には、Ｚ軸方向に貫通する２つの穴部２０２，２０２が形成され、
上記ミラー第２保持部材のＸ軸方向両端には、Ｚ軸方向に貫通する２つのネジ穴２０３，２０３であって、上記穴部２０２，２０２と貫通するものが形成され、
上記穴部１９２，１９２と、上記ネジ穴部１９３，１９３とを、固定用ネジ１９４，１９４がネジ結合し、
上記穴部２０２，２０２と、上記ネジ穴部２０３，２０３とを、調整用ネジ２０１，２０１がネジ結合し、
上記穴部２０２，２０２を貫通して上記ネジ穴部２０３，２０３との間には、圧縮バネ２０５が配置される、請求項１から７のいずれか１項に記載の光学部材。
【発明の詳細な説明】
【技術分野】
【０００１】
本発明は、光学部材に関する。
【背景技術】
【０００２】
非球面ミラーを被取り付け部材に対して所定の位置及び姿勢で高精度に取り付ける技術として、非球面ミラーの非球面の一部を基準面とし、その基準面に照射した光の反射から基準面の傾きを測定し、その傾きをゼロとするようにする技術が提案されている（特許文献１参照）。
【０００３】
また、反射型光学素子の傾き調整を行っても、投影映像と反射面の位置関係のズレが少ない保持構造を備えた画像投影装置についての技術が提案されている（特許文献２参照）。
【先行技術文献】
【特許文献】
【０００４】
【特許文献１】特開２００７−３２８２３８号公報（特に段落「０００１」「００４０」）
【特許文献２】特開２０１１−０５９４５９号公報（要約書）
【発明の概要】
【発明が解決しようとする課題】
【０００５】
このように、光学部材は、反射ミラーの一つである非球面ミラー等の構成部材の相互の位置関係を正確にすることが要求されてきた。
【０００６】
そこで、本発明の目的は、各構成部材相互の位置関係を正確にすることを可能とする光学部材および反射ミラーを提供することである。
【課題を解決するための手段】
【０００７】
上記目的を達成するため、本発明の光学部材は、生成された画像光を反射する曲面を有する反射ミラーと、反射ミラーを保持する第１ミラー保持部材またはミラー第１保持部材と、を有し、反射ミラーを囲む端面のうち、上端面と下端面とを接続する二つの側端面は、画像光が出射される側へ向かう方向に開口するよう切り欠かれている溝状の係合部を有し、且つ以下の（１）または（２）のいずれかの構成を有することを特徴とする光学部材。
（１）二つの側端面とそれぞれ対向する、第１ミラー保持部材の対向する一対の面に配置される２つの突起物が、溝状の係合部に入り込んで溝状の係合部と係合し、２つの突起物を結ぶ軸を回転軸として反射ミラーを回転動作可能にする。
（２）二つの側端面とそれぞれ対向する、ミラー第１保持部材の対向する一対の面に配置される２つの突起部が、溝状の係合部に入り込んで溝状の係合部と係合し、２つの突起部を結ぶ軸を回転軸として反射ミラーを回転動作可能にする。
【０００８】
ここで、反射ミラーは、下端面１３３に画像光が出射される方向に貫通する穴部１３５が形成され、ミラー第１保持部材は、下端面１４５に画像光が出射される方向に貫通する穴部１４７が形成され、反射ミラーをミラー第１保持部材へ収容した際に、穴部１３５と穴部１４７とは重なり合い、穴部１３５と穴部１４７との間の空間に圧縮バネが配置され、穴部１３５と穴部１４７および圧縮バネを挿通するように調整用ネジが配置される。
【０００９】
上記目的を達成するため、本発明の光学部材は、画像光を反射する曲面および曲面の裏側面を有する反射ミラーと、反射ミラーを保持する第１ミラー保持部材またはミラー第１保持部材と、を有し、反射ミラーを囲む端面のうち、上端面と下端面とを接続する二つの側端面は、裏側面から曲面へ向かう方向に開口するよう切り欠かれている溝状の係合部を有し、且つ以下の（１）または（２）のいずれかの構成を有することを特徴とする光学部材。
（１）二つの側端面とそれぞれ対向する、第１ミラー保持部材の対向する一対の面に配置される２つの突起物が、溝状の係合部に入り込んで溝状の係合部と係合し、２つの突起物を結ぶ軸を回転軸として反射ミラーを回転動作可能にする。
（２）二つの側端面とそれぞれ対向する、ミラー第１保持部材の対向する一対の面に配置される２つの突起部が、溝状の係合部に入り込んで溝状の係合部と係合し、２つの突起部を結ぶ軸を回転軸として反射ミラーを回転動作可能にする。
【００１０】
ここで、係合部は、反射ミラーの光軸に沿った方向に開口するように切り欠かれている。
【００１１】
また、反射ミラーは、下端面１３３に裏側面側から曲面側に貫通する穴部１３５が形成され、ミラー第１保持部材は、下端面１４５に裏側面側から曲面側に貫通する穴部１４７が形成され、反射ミラーをミラー第１保持部材へ収容した際に、穴部１３５と穴部１４７とは重なり合い、穴部１３５と穴部１４７との間の空間に圧縮バネ１７１が配置され、穴部１３５と穴部１４７および圧縮バネ１７１を挿通するように調整用ネジ１７２が配置される。
【００１２】
また、反射ミラーは、上端面１３０に上側突起部１３２を有し、ミラー第１保持部材は、回転軸方向中央に位置調整用溝部１４２が形成され、反射ミラーをミラー第１保持部材へ収容した際に、上側突起部１３２が位置調整用溝部１４２に入り込み、上側突起部１３２が位置調整用溝部１４２に入り込んだ状態を維持するように、上側突起部１３２が位置調整用溝部１４２に押し付けられるように、板バネ１５１が設置される。
【００１３】
また、反射ミラーは、曲面と、前記曲面の裏側に配置され反射ミラーの光軸と垂直な相互位置関係調整用の平面を有する。
【００１４】
また、ミラー第１保持部材は、反射ミラーを保持するミラー第２保持部材に保持され、ミラー第１保持部材のＸ軸方向両端には、陥没した陥没部１９１，１９１の底面をＹ軸方向に貫通する２つの穴部１９２，１９２が形成され、ミラー第２保持部材は、そのＸ軸方向両端に、Ｙ軸方向に貫通する２つのネジ穴部１９３，１９３であって、穴部１９２，１９２と貫通するものが形成され、ミラー第１保持部材のＸ軸方向両端には、Ｚ軸方向に貫通する２つの穴部２０２，２０２が形成され、ミラー第２保持部材のＸ軸方向両端には、Ｚ軸方向に貫通する２つのネジ穴２０３，２０３であって、穴部２０２，２０２と貫通するものが形成され、穴部１９２，１９２と、ネジ穴部１９３，１９３とを、固定用ネジ１９４，１９４がネジ結合し、穴部２０２，２０２と、ネジ穴部２０３，２０３とを、調整用ネジ２０１，２０１がネジ結合し、穴部２０２，２０２を貫通してネジ穴部２０３，２０３との間には、圧縮バネ２０５が配置される。
【発明の効果】
【００１５】
本発明では、各構成部材相互の位置関係を正確にすることを可能とする光学部材および反射ミラーを提供することができる。
【図面の簡単な説明】
【００１６】
【図１】本発明の第１の実施の形態に係る光学部材の分解斜視図である。
【図２】図１に示す分解斜視図を図１の紙面奥側から見た図である。
【図３】本発明の第１の実施の形態に係る光学部材を構成する第２ミラー保持部材とミラー固定部との固定部分された状態の図２におけるＡ−Ａ断面図である。
【図４】本発明の第１の実施の形態に係る光学部材を構成する反射ミラーと第１ミラー保持部材の詳細を示す模式図であり、反射ミラーの背面図と、そのＢ−Ｂ断面図である。
【図５】本発明の第１の実施の形態に係る光学部材を構成するミラー保持部材固定部の詳細を示す図で、反射ミラーの背面側から見た背面図とそのＣ−Ｃ断面図の模式図である。
【図６】本発明の第１の実施の形態に係る光学部材および後述する本発明の第２の実施の形態に係る光学部材の各構成部材相互の位置関係を調整する際に使用するコリメータの模式図である。
【図７】鏡筒の図１における長手方向の縦断面模式図であり、反射ミラーの取付状態を示す図である。
【図８】本発明の第２の実施の形態に係る光学部材の分解斜視図である。
【図９】図８に示す分解斜視図を僅かに変更し、図８の紙面奥側から見た図である。
【図１０】反射ミラーとミラー保持部材との分解斜視図であり、反射ミラーの曲面が見える側から見た図である。
【図１１】図１０の紙面奥側から見た図である。
【図１２】反射ミラーとミラー第１保持部材の詳細を示す模式図であり、反射ミラーとミラー第１保持部材の背面図と、そのＤ−Ｄ断面図のうち反射ミラーの部分およびミラー第１保持部材の突起部のみを抜き出した図である。
【図１３】反射ミラーとミラー第１保持部材の詳細を示す模式図であり、反射ミラーとミラー第１保持部材の正面図と、そのＥ−Ｅ断面図のうち反射ミラーの部分およびミラー第１保持部材の突起部のみを抜き出した図である。
【図１４】反射ミラーとミラー第１保持部材が結合されたものと、ミラー第２保持部材の分解斜視図である。
【図１５】図１４の紙面奥側から見た図である。
【図１６】反射ミラーとミラー第１保持部材とミラー第２保持部材が結合されたものと、ミラー第１保持部材とミラー第２保持部材の位置関係を調節する調節用ネジの分解斜視図である。
【図１７】図１６の紙面奥側から見た図である。
【図１８】図１６において、調節用ネジが穴部に挿入された場合のＦ−Ｆ断面概要図である。
【図１９】反射ミラーとミラー第１保持部材とミラー第２保持部材が結合されたものと、固定部材の分解斜視図である。
【図２０】図１９の紙面奥側から見た図である。
【図２１】図１９において反射ミラーとミラー第１保持部材とミラー第２保持部材と固定部材が結合されたもののＧ−Ｇ断面概要図である。
【発明を実施するための形態】
【００１７】
以下、本発明の実施の形態に係る光学部材および反射ミラーについて、図面を参照しながら説明する。
【００１８】
（本発明の第１の実施の形態に係る光学部材および反射ミラーの構成）
図１は、本発明の第１の実施の形態に係る光学部材１の分解斜視図である。図２は、図１に示す分解斜視図を図１の紙面奥側から見た図である。
【００１９】
光学部材１は、撮像素子またはパーソナルコンピュータ等で生成された画像光を出射する鏡筒１０を有している。鏡筒１０は、その外周面１１から板状に突出する鏡筒被固定部１２，１２を、外周面１の周方向に１８０度離れた位置に２箇所有している。鏡筒被固定部１２，１２には、それぞれ２つの鏡筒固定用穴部１３，１３，１４，１４が形成されている。その２つの鏡筒固定用穴部１３，１３，１４，１４の間には、図１，図２の下側方向に突起する突起部１５，１５が形成されている。ここで、鏡筒被固定部１２，１２の図１，図２の下側面を、鏡筒被設置面１６，１６と呼ぶこととする。また、２つの鏡筒固定用穴部１３，１３，１４，１４を、それぞれ図１，図２の上側から下側に向かって貫通させるネジ１７，１７，１７，１７が存在する。
【００２０】
また、光学部材１は、鏡筒１０から出射される画像光を反射し、拡大投射する反射ミラー２０を有している。反射ミラー２０は、凹面である曲面２１と、その裏側の平面２２を有している。曲面２１は、放物線をその対称軸を中心として回転させた放物面である。そして、平面２２は、その対称軸と実質的に垂直な平面である。この平面２２は、鏡筒１０と後述する固定部材と反射ミラー２０との相互位置関係調整に用いられる。また、平面２２と、鏡筒１０の光軸Ｌが、実質的に垂直の位置関係である。この位置関係とする方法は後述する。さらに、平面２２は、曲面２１の最奥部（たとえば放物面としたときは放物線の頂点に相当する部分）を通る反射ミラー２０の光軸（光学部材１として組み立てられた後は鏡筒１０の光軸Ｌと同一の軸となる）と垂直をなす。
【００２１】
反射ミラー２０の曲面２１と平面２２以外の端面（上端面２３，下端面２４，側端面２５，２６）は、第１ミラー保持部材２７と、第２ミラー保持部材２８によって囲われている。なお、反射ミラー２０の上端面２３には、その中央部が凹んだ凹部２９が形成されている。この第１ミラー保持部材２７と、第２ミラー保持部材２８は、反射ミラー２０を保持し、後述する保持部材に反射ミラー２０を固定させる役割を担っている。上端面２３、および下端面２４には、それぞれそこから突出する突出部２３ａ（図１，図２では図示省略），２４ａを有している。第１ミラー保持部材２７と、第２ミラー保持部材２８の構造と、保持の機構の詳細は、後述する。
【００２２】
また、光学部材１は、鏡筒１０と反射ミラー２０を固定する固定部材３０を有している。固定部材３０は、鏡筒固定部３１とミラー固定部３２とが、固定部材３０の長手方向に区分けされ、一体にされた形状をしている。鏡筒固定部３１には、鏡筒被設置面１６，１６と接する鏡筒設置面３３，３３が、長手方向と直交する方向の鏡筒固定部３１の両端に２箇所形成されている。この鏡筒設置面３３，３３のそれぞれに、上述した２箇所ある鏡筒被固定部１２，１２の鏡筒被設置面１６，１６が接する。鏡筒設置面３３，３３には、２つの鏡筒固定用穴部１３，１３，１４，１４およびそれらの間に形成されている突起部１５，１５にそれぞれ対向できる、鏡筒固定用穴部３４，３４，３５，３５および鏡筒調整用穴部３６，３６が形成されている。
【００２３】
鏡筒１０と固定部材３０との固定は、まず、突起部１５，１５を鏡筒調整用穴部３６，３６に挿入する。すると、突起部１５，１５と鏡筒調整用穴部３６，３６との間に僅かな隙間ができる。この隙間の範囲内で突起部１５，１５と鏡筒調整用穴部３６，３６の位置関係を調整する。そして、２つの鏡筒固定用穴部１３，１３，１４，１４の空間と鏡筒固定用穴部３４，３４，３５，３５の空間とを重ね合わせる。そして、ネジ１７，１７，１７，１７のネジ山と鏡筒固定用穴部３４，３４，３５，３５のネジ溝を螺合させ、ネジ力で締めて、鏡筒１０と固定部材３０を固定する。ここで、上述の位置関係の調整の詳細は後述する。
【００２４】
反射ミラー２０と固定部材３０の固定は、第２ミラー保持部材２８とミラー固定部３２との固定により実現する。図３は、第２ミラー保持部材２８とミラー固定部３２とが固定された状態の図２におけるＡ−Ａ断面図である。第２ミラー保持部材２８から鏡筒１０の方向に立設するリブ４０には、その両端に２箇所の穴部４１，４１が形成されている。ミラー固定部３２には、長手方向と直交する方向の両端であって鏡筒固定部３１に隣接する位置に２箇所の台座部４２，４２およびその上面のミラー接地面４４，４４が形成されている。台座部４２，４２は、中空部分４３，４３を有している。ミラー接地面４４，４４には円形のミラー固定用穴部４５，４５が形成されており、これがミラー接地面４４，４４の上方と台座部４２，４２の中空部分とを繋げている。
【００２５】
穴部４１，４１とミラー固定用穴部４５，４５とは、その空間を重ねることができるようにされている。リブ４０の下面とミラー接地面４４，４４とを接し、穴部４１，４１とミラー固定用穴部４５，４５とを重ね、スプリング４７，４７を介してネジ４８，４８をミラー固定用穴部４５，４５の図１，図２の下側方向から挿通する。その状態で、ミラー固定用穴部４５，４５の図１，図２の上側方向でネジ４８，４８をワッシャ・ナット４９，４９を用いて締め付けている。このようにして、第２ミラー保持部材２８とミラー固定部３２とが固定される。
【００２６】
このネジ４８，４８とワッシャ・ナット４９，４９との締め付けの前あるいは後、またはそれと同時に、図１に示す固定部材３０の長手方向と直交する方向の両端であって鏡筒固定部３１とは最も離れた位置に設けられたミラー固定用穴部５０，５１と、第２ミラー保持部材２８とが固定される。そのため、反射ミラー２０の曲面２１よりも平面２２側、且つ上端面２３よりも下端面２４側に位置する、第２ミラー保持部材２８の部分に形成された溝部５２，５２の空間が、ミラー固定用穴部５０，５１の空間に重ね合わせられている。その重ね合わせは、ミラー固定部３２内に第２ミラー保持部材２８が収容されるよう両者が配置される際に実現する。そして、溝部５２，５２とミラー固定用穴部５０，５１との両方に軸部材５３が挿通される。そして、軸部材５３の一端に、固定部材３０の外側から取っ手部材５４が取り付けられる。また、軸部材５３の他端５５はネジ山が形成され、同時にミラー固定用穴部５１がネジ穴で有るため、取っ手部材５４を回転することで軸部材５３の他端５５がミラー固定用穴部５１へ螺合される。このように、軸部材５３によっても反射ミラー２０と第２ミラー保持部材２８とが固定される。
【００２７】
反射ミラー２０が第１ミラー保持部材２７によって、どのように保持されているかを説明する。図２に示すように、第１ミラー保持部材２７は、 側端面２５，２６と対向する板部分を貫通する貫通孔６１，６１を有している。そして、貫通孔６１，６１を貫通して固定される円柱状の突起物６２，６２が、反射ミラー２０に向かって突出している。反射ミラー２０の側端面２５，２６のうち曲面２１側には、溝状の係合部６３，６３が形成されており、突起物６２，６２が係合部６３，６３に入り込んでいる。これで、反射ミラー２０が第１ミラー保持部材２７によって保持されている。ただし、この保持のみでは、突起物６２，６２を結ぶ軸を回転軸として反射ミラー２０が回転動作する余地がある。
【００２８】
図４は、反射ミラー２０と第１ミラー保持部材２７の詳細を示す模式図であり、反射ミラー２０の背面図と、そのＢ−Ｂ断面図である。反射ミラー２０の下端面２４から突出する突出部２４ａには、図１，２における長手方向に挿通可能な穴部６５が形成されている。そして、第１ミラー保持部材２７から延在し、突出部２４ａと対向する位置には、図１および図２には図示を省略した突起部６６が形成されている。そして、この突起部６６には、突出部２４ａの穴部６５と空間が重なり合う穴部６７が形成されている。
【００２９】
突起部６６と突出部２４ａの間には空間６８が設けられており、その空間６８にはコイルバネ６９が挿入されている。コイルバネ６９を介して穴部６５と穴部６７の双方を挿通するネジ７０のネジ力およびコイルバネ６９の弾性力によって、突出部２４ａと突起部６６の距離が調節されている。ここで、ネジ７０は、穴部６７の内壁面に形成されたネジ山と適合するネジ溝を有しており、ネジ７０を回転させることで、突出部２４ａと突起部６６の距離が変化するように構成されている。この距離は、小さくさせることでコイルバネ６９の付勢力を高め、大きくすることでコイルバネ６９の付勢力が弱まるように構成されている。
【００３０】
また、反射ミラー２０の上端面２３から突出する突出部２３ａは、第１ミラー保持部材２７のうち、反射ミラー２０の上端面２３と対向する部分に形成された溝状部７１（図１および図２にも記載した）の溝内に配置されている。そして、 第１ミラー保持部材２７のうち平面２２側であって、溝状部７１の部分に配置された板バネ７２によって、突起部２３ａが溝状部７１の内壁に押し付けられ、固定されている。
【００３１】
この、板バネ７２による反射ミラー２０の突出部２３ａの第１ミラー保持部材２７への固定、および図４に示した反射ミラー２０の突出部２４ａの位置調整によって、上述した突起物６２，６２を結ぶ軸を回転軸として反射ミラー２０が回転動作する余地を制限している。
【００３２】
しかし、反射ミラー２０の上端面２３と下端面２４を結ぶ軸であって、図１および図２における上下方向の軸を回転軸Ｐとした反射ミラー２０の回転に基づく位置ずれが起こる可能性がある。そこで、回転軸Ｐの反射ミラー２０の回転に基づく位置ずれの調整機構の詳細を説明する。
【００３３】
回転軸Ｐの反射ミラー２０の回転に基づく位置ずれの調整は、図１および図２に示した反射ミラー２０の側端面２５，２６側で第１ミラー保持部材２７と第２ミラー保持部材２８とを固定する、ミラー保持部材固定部８１，８１にてなされる。
【００３４】
図５は、ミラー保持部材固定部８１，８１の詳細を示す図で、反射ミラー２０の背面側から見た背面図とそのＣ−Ｃ断面図の模式図である。ミラー保持部材固定部８１，８１では、第１ミラー保持部材２７と第２ミラー保持部材２８の双方から突出した突起部８２，８２，８３，８３がそれぞれ一組ずつ重ね合わされている。その重ね合わせの状態では、突起部８２，８２，８３，８３にそれぞれ形成されている穴部８４，８４，８５，８５同士もそれぞれ重ね合わされている。
【００３５】
図５に示した突起部８２，８２，８３，８３のＣ−Ｃ断面図からわかるように、突起部８２と突起部８３の間には空間８６が設けられており、その空間８６にはコイルバネ８７が挿入されている。コイルバネ８７を介して穴部８４と穴部８５の双方を挿通するネジ８８のネジ力およびコイルバネ８７の弾性力によって、突起部８２と突起部８３の距離が調節されている。ここで、ネジ８８は、穴部８５の内壁面に形成されたネジ山と適合するネジ溝を有しており、ネジ８８を回転させることで、突起部８２と突起部８３の距離が変化するように構成されている。この距離は、小さくさせることでコイルバネ８７の付勢力を高め、大きくすることでコイルバネ８７の付勢力が弱まるように構成されている。
【００３６】
（第１の実施の形態に係る光学部材１の各構成部材相互の位置関係の調整）
図６は、光学部材１および後述する第２の実施の形態に係る光学部材の各構成部材相互の位置関係を調整する際に使用するコリメータ８９の模式図である。
【００３７】
まず、図６に示す各種部材を設置するためのコリメータ８９のステージ８９ａと、ステージ８９ａの上方に固定された検査用の光を放射するコリメータ８９の光源部８９ｂとの位置および角度を、調整部８９ｃによって調整して、光源部８９ｂから放射される光の光軸Ｌａとステージ８９ｂの上面８９ｄとが実質的に垂直となるように調整を行う。
【００３８】
その後、図２に示す固定部材３０のうち、ミラー固定部３２から長手方向に沿って最も遠い鏡筒固定部３１の位置にある基準面９０（固定部材３０が有する平面部）を、固定部材３０に鏡筒１０及び反射板９２を設置した際に、鏡筒１０の鏡筒基準面９１（正確には反射板９２）及び反射ミラー２０の平面２２とが、光源部８９ｂから放射される光の光軸Ｌａ上にくるように固定部材３０の位置を調整してステージ８９ａの上面８９ｄに設置・固定する。このとき、上面８９ｄに設置・固定された固定部材３０の基準面９０は、上面８９ｄと実質的に平行となる。
【００３９】
そして、コリメータ８９と基準面９０の位置関係をそのままにした状態で、コリメータ８９から、反射ミラー２０の平面２２に向けて光を放射し、反射して来る光によって、基準面９０と平面２２とが、実質的に平行かどうかを確認する。基準面９０と平面２２とが、実質的に平行でない場合には、図４に示すネジ７０および図５に示すネジ８８を用いて、実質的に平行となるまで調整する。
【００４０】
次に、コリメータ８９と基準面９０の位置関係をそのままにして、鏡筒１０のうち反射ミラー２０と対向する鏡筒基準面９１に反射板９２を図７に示すように固定する。図７は、鏡筒１０の図１における長手方向の縦断面模式図であり、反射板９２の取付状態を示す図である。鏡筒１０の先端の輪郭は突出している。その突出した先端面が鏡筒基準面９１となる。反射板９２は、鏡筒基準面９１に取り付けた状態で、鏡筒１０の光軸Ｌとは垂直の反射面９３を有する。その反射面９３は、鏡筒１０の光軸Ｌと実質的に垂直の位置関係となっている。そこで、鏡筒基準面９１に接するように反射板９２を固定すると、反射板９２の反射面９３が光軸Ｌと実質的に垂直の位置関係となる。
【００４１】
その状態で、コリメータ８９から、反射板９２の反射面９３に向けて光を放射し、反射して来る光によって、基準面９０と反射面９３とが、実質的に平行かどうかを確認する。基準面９０と反射面９３とが、実質的に平行でない場合には、鏡筒１０の突起部１５を鏡筒調整用穴部３６に挿入際の僅かな隙間の範囲内で突起部１５と鏡筒調整用穴部３６の位置関係を調整し、基準面９０と反射面９３とを実質的に平行にする。
【００４２】
ここで、実質的に平行とは、完全に平行な場合と、１５分以下、または１０分以下、または５分以下の角度のズレを許容した略平行な場合との両者を含むこととする。また、実質的に垂直とは、完全に垂直な場合と、１５分以下、または１０分以下、または５分以下の角度のズレを許容した略垂直な場合との両者を含むこととする。
【００４３】
以上によって、第１の実施の形態に係る光学部材１の各構成部材相互の位置関係の調整がなされる。この光学部材１を、パーソナルコンピュータのディスプレイ画面を拡大投射するプロジェクター等の光学機器の本体に取り付ける際に、固定部材３０の基準面に基いて取り付けることで、光学機器の各構成部材の位置関係が正確となる。なお、上記の場合は、まず、固定部材３０と反射ミラー２０との位置関係を調整し、その後固定部材３０と鏡筒１０との位置関係を調整したが、この調整の順番は逆にしても良い。
【００４４】
（本発明の第２の実施の形態に係る光学部材および反射ミラーの構成）
図８は、本発明の第２の実施の形態に係る光学部材１００の分解斜視図である。図９は、図８に示す分解斜視図を僅かに変更し、図８の紙面奥側から見た図である。
【００４５】
光学部材１００は、光学部材１と同様に撮像素子またはパーソナルコンピュータ等で生成された画像光を出射する鏡筒１０１を有している。鏡筒１０１は、その外周部１０２から板状に突出する鏡筒被固定部１０３，１０３を２箇所、外周面１の周方向に１８０度離れた位置に有している。鏡筒被固定部１０３，１０３には、２つの鏡筒固定用穴部１０４，１０５がそれぞれ形成されている。単体の鏡筒被固定部１０３が有する鏡筒固定用穴部１０４，１０５の間には、後述する固定部材側の突起部が嵌り込む鏡筒設置用穴部１０６が形成されている。ここで、鏡筒被固定部１０３，１０３の図８，図９の上側方向面を、鏡筒被設置面１０７，１０７と記すこととする。
【００４６】
また、光学部材１００は、鏡筒１０１から出射される画像光を反射し、拡大投射する反射ミラー１１０を有している。反射ミラー１１０は、凹面である曲面１１１と、その裏側の平面１１２を有している。曲面１１１は、放物線をその対称軸を中心として回転させた放物面である。そして、平面１１２は、その対称軸と実質的に垂直な平面である。この平面１１２は、鏡筒１０１と後述する固定部材と反射ミラー１１０との相互位置関係調整に用いられる。また、平面１１２と、鏡筒１０１の光軸Ｌ’が、実質的に垂直の位置関係である。さらに、平面１１２は、曲面１１１の最奥部（たとえば放物面としたときは放物線の頂点に相当する部分）を通る反射ミラー１１０の光軸（光学部材１００として組み立てられた後は鏡筒１０１の光軸Ｌ’と同一の軸となる）と垂直をなす。
【００４７】
反射ミラー１１０は、ミラー第１保持部材１１３およびミラー第２保持部材１１４によって保持されている。このミラー第１保持部材１１３およびミラー第２保持部材１１４は、後述する固定部材に反射ミラー１１０を固定させる役割を担っている。ミラー第１保持部材１１３およびミラー第２保持部材１１４の保持の機構の詳細は、後述する。
【００４８】
また、光学部材１００は、鏡筒１０１と反射ミラー１１０を固定する固定部材１２０を有している。固定部材１２０は、鏡筒固定部１２１とミラー固定部１２２とが、固定部材１２０の長手方向に区分けされ、一体にされた形状をしている。鏡筒固定部１２１は、円筒を長さ方向に半分に切ったような形状をしている。その切断面（図８，図９における２つの上面）であって反射ミラー１１０から最も離れた位置には、上述した鏡筒被固定部１０３，１０３と係合される鏡筒係合部１２３，１２３が形成されている。
【００４９】
鏡筒係合部１２３，１２３には、鏡筒被接地面１０７，１０７と金属板１２４，１２４を介して対向する鏡筒設置面１２５，１２５がある。鏡筒接地面１２５，１２５には、鏡筒固定用穴部１０４，１０４，１０５，１０５とそれぞれ重なり合う取り付け用ネジ穴１２６，１２６，１２７，１２７と、鏡筒設置用穴部１０６，１０６に嵌り込む鏡筒設置用突起部１２８，１２８が形成されている。なお、金属板１２４，１２４には、取り付け用ネジ穴１２６，１２６，１２７，１２７と重なる穴および鏡筒設置用突起部１２８，１２８が貫通する穴が形成されている。なお、図９は、図８の状態から金属板１２４，１２４を図９の上側へ浮かせた図である。
【００５０】
鏡筒１０１と固定部材１２０との固定は、まず、金属板１２４，１２４の中央の穴を介して鏡筒設置用突起部１２８，１２８を鏡筒設置用穴部１０６，１０６に挿入する。すると、鏡筒設置用突起部１２８，１２８と鏡筒設置用穴部１０６，１０６との間に僅かな隙間ができる。この隙間の範囲内で鏡筒設置用突起部１２８，１２８と鏡筒調整用穴部１０６，１０６の位置関係を調整する。そして、２つの鏡筒固定用穴部１０４，１０４，１０５，１０５と取り付け用ネジ穴１２６，１２６，１２７，１２７とを重ね合わせる。そして、金属板１２４，１２４の両端の穴を介して、鏡筒固定用穴部１０４，１０４，１０５，１０５からそのネジ溝に適合するネジ穴１２６，１２６，１２７，１２７へとネジ（図示省略）を挿入する。そして、そのネジ力で締めて螺合させ、鏡筒１０１と固定部材１２０を固定する。なお、ここで、上述の位置関係の調整の詳細は後述する。
【００５１】
図１０は、反射ミラー１１０とミラー第１保持部材１１３との分解斜視図であり、反射ミラー１１０の曲面１１１が見える側から見た図である。また、図１１は図１０の紙面奥側から見た図である。図１０および図１１において、図８および図９の光軸Ｌ’と平行な方向をＺ軸方向、Ｚ軸方向と直交し図１０および図１１の上下方向（重力方向）をＹ軸方向、Ｚ軸方向およびＹ軸方向と直交する方向をＸ軸方向と記すことにする。
【００５２】
反射ミラー１１０の上端面１３０は、えぐれた凹部１３１が形成され、その凹部１３１から図１０および図１１の上側に円柱状に突出する上側突起部１３２を有している。また、反射ミラー１１０は、その下端面１３３から図１０および図１１の下側に四角柱状に突出する下側突起部１３４を有している。下側突起部１３４には、Ｚ軸方向に貫通する穴部１３５が形成されている。また、反射ミラー１１０の側端面１３６，１３７は、曲面１１１側であって図１０および図１１の上側に、部分的にえぐられた係合部１３８，１３８を有している。
【００５３】
ミラー第１保持部材１１３は、全体形状が枠状である。図１１におけるミラー第１保持部材１１３の上側は、反射ミラー１１０の上端面１３０側を収容する収容部１４１である。また、収容部１４１の図１１におけるＸ軸方向中央には、位置調整用溝部１４２が形成されている。また、収容部１４１の図１０における手前側両端には、Ｚ軸方向に向かって突出するリブ１４３，１４３が形成され、そのリブ１４３，１４３をＸ軸方向に貫通する係合用穴部１４４，１４４が形成されている。さらに、ミラー第１保持部材１１３は、その下端面１４５からＹ軸方向下側に四角柱状に突出する突起部１４６が形成され、突起部１４５には、Ｚ軸方向に貫通する穴部１４７が形成されている。なお、穴部１４７は、図面ではわかりにくいが、Ｚ軸方向に鏡筒１０１に向かう方が開口の狭いネジ穴状である座ぐり形状をしている。
【００５４】
反射ミラー１１０の上側部分をミラー第１保持部材１１３の収容部１４１へ収容させる方向（Ｚ軸方向）に相対移動させると、上側突起部１３２が位置調整用溝部１４２に入り込み、係合部１３８，１３８の空間と係合用穴部１４４，１４４の空間が重なり合い、穴部１３５の空間と穴部１４７の空間が重なり合う。
【００５５】
上側突起部１３２が位置調整用溝部１４２に入り込んだ状態を維持するように、板バネ１５１によって、上側突起部１３２が位置調整用溝部１４２に押し付けられるよう板バネ１５１を設置する。その設置の際には、板バネ１５１の上側両端の穴部１５２，１５２を位置調整用溝部１４２の両脇の突起部１５３，１５３に嵌めこむ。すると、板バネ１５１の穴部１５４，１５４の空間と位置調整用溝部１４２の両脇の穴部１５５，１５５の空間が重なり合い、ピン１５６，１５６を両穴部１５３，１５５に挿通することで、板バネ１５１が位置調整用溝部１４２に固定される。そのため、板バネ１５１は、反射ミラー１１０のミラー第１保持部材１１３からの脱落、およびＺ軸方向のガタツキを抑制する。
【００５６】
また、係合部１３８，１３８の空間と係合用穴部１４４，１４４の空間とが重なり合った状態とする。そして、リブ１４３，１４３の対向する面内すなわち収容部１４１内で、第１被係合部材１６１，１６１であるピン状の部材のＸ軸方向内側の一方の突起部１６１ａ，１６１ａを係合部１３８，１３８に挿入する。第１被係合部材１６１，１６１は、円盤状の鍔状部１６１ｃ，１６１ｃと、その一方の面の中央に形成された突起部１６１ａ，１６１ａ、その反対面の中央に形成された突起部１６１ｂ，１６１ｂを有している。
【００５７】
その挿入の際に、係合部１３８，１３８の周囲と係合用穴部１４４，１４４の周囲の隙間の一方または両方にスプリングワッシャ１６２を押圧しつつ配置させておく。そして、スプリングワッシャ１６２の押圧を解くと、第１被係合部材１６１、１６１の他方の突起部１６１ｂ，１６１ｂが、リブ１４３，１４３の対向する面の外側へ、係合用穴部１４４，１４４を貫通して係合用穴部１４４，１４４と係合する。なお、このスプリングワッシャ１６２が、第１被係合部材１６１，１６１の鍔部１６１ｃ，１６１ｃと収容部１４１の内壁（係合用穴部１４４，１４４の周縁）を押圧固定する付勢力を発揮し、反射ミラー１１０のＸ軸方向のガタツキを抑制する。
【００５８】
さらに、ミラー第１保持部材１１３の上面のＸ軸方向両端に板バネ固定部材１６３，１６３を配置する。そして、第２板バネ１６４，１６４にそれぞれ設けられた３つの穴のうち、両端穴１６５，１６５，１６５，１６５を、板バネ固定部材１６３，１６３の両端突起１６６，１６６，１６６，１６６に挿入する。その状態では、第２板バネ１６４，１６４にそれぞれ設けられた３つの穴のうち、中央穴１６７，１６７の空間と、板バネ固定部材１６３，１６３の両端突起１６６，１６６の間の穴部１６８，１６８の空間が重なり合うため、それらの空間をＹ軸方向下側に貫通するようピン１６９、１６９を挿入し固定する。すると、第２板バネ１６４，１６４の付勢力によりその先端１７０，１７０が反射ミラー１１０の上端面１３０を押圧することとなる。そのため、第２板バネ１６４，１６４は、反射ミラー１１０のＹ軸方向のガタツキを抑制する。
【００５９】
ここで、スプリングワッシャ１６２，板バネ１５１および第２板バネ１６４，１６４の付勢力によって、ミラー第１保持部材１１３と反射ミラー１１０の上側部分が固定されることとなる。しかし、これらだけでは、２つの第１被係合部材１６１、１６１を結ぶＸ軸を回転軸として反射ミラー１１０が回転する余地がある。
【００６０】
反射ミラー１１０の上側部分をミラー第１保持部材１１３の収容部１４１へ収容させる方向（Ｚ軸方向）に相対移動させると、穴部１３５の空間と穴部１４７の空間が重なり合った状態となる。そして、穴部１３５と穴部１４７の間の空間にコイル状の圧縮バネ１７１が配置される。調整用ネジ１７２は、穴部１３５と穴部１４７と圧縮バネ１７１の内部空間を挿通するよう配置される。そして、調整用ネジ１７２と穴部１４７を螺合させ、反射ミラー１１０の下側突起部１３４とミラー第１保持部材１１３の突起部１４６が固定される。この圧縮バネ１７１の付勢力で、反射ミラー１１０の下側部分とミラー第１保持部材１１３が固定され、上述した２つの第１被係合部材１６１、１６１を結ぶ軸を回転軸とした反射ミラー１１０の回転を抑える。
【００６１】
反射ミラー１１０とミラー第１保持部材１１３の位置関係の調整について図１２および図１３を用いて説明する。図１２は、反射ミラー１１０とミラー第１保持部材１１３の詳細を示す模式図であり、反射ミラー１１０とミラー第１保持部材１１３の背面図と、そのＤ−Ｄ断面図のうち反射ミラー１１０およびミラー第１保持部材１１３の突起部１４６の部分のみを抜き出した図である。図１３は、反射ミラー１１０とミラー第１保持部材１１３の詳細を示す模式図であり、反射ミラー１１０とミラー第１保持部材１１３の正面図と、そのＥ−Ｅ断面図のうち反射ミラー１１０の部分およびミラー第１保持部材１１３の突起部１４６のみを抜き出した図である。
【００６２】
反射ミラー１１０の下端面１３３から突出する下側突起部１３４の穴部１３５と、ミラー第１保持部材１１３から延在する突起部１４６の穴部１４７とが対向している。下側突起部１３４と突起部１４６の間には空間１８１が設けられており、その空間１８１には圧縮バネ１７１が挿入されている。圧縮バネ１７１を介して穴部１３５と穴部１４７の双方を挿通する調整用ネジ１７２のネジ力および圧縮バネ１７１の弾性力によって、下側突起部１３４と突起部１４６の距離が調節されている。
【００６３】
ここで、調整用ネジ１７２は、穴部１４７の内壁面に形成されたネジ山と適合するネジ溝を有しており、調整用ネジ１７２を回転させることで、下側突起部１３４と突起部１４６の距離が変化するように構成されている。この距離は、小さくさせることで圧縮バネ１７１の付勢力を高め、大きくすることで圧縮バネ１７１の付勢力が弱まるように構成されている。
【００６４】
図１４は、反射ミラー１１０とミラー第１保持部材１１３が結合されたものと、ミラー第２保持部材１１４の分解斜視図であり、図１５は、図１４の紙面奥側から見た図である。
【００６５】
ミラー第２保持部材１１４は、その全体形状が略ブーメラン形状をしている。ミラー第１保持部材１１３の上側部分の長さ方向両端には、陥没した陥没部１９１，１９１が形成されている。陥没部１９１，１９１には、陥没した底面を貫通する穴部１９２，１９２が形成されている。ミラー第２保持部材１１４の長さ方向両端であって、上側面の鏡筒１０１から最も離れた位置には、ミラー第１保持部材１１３との固定用のネジ穴部１９３，１９３が形成されている。
【００６６】
ミラー第１保持部材１１３とミラー第２保持部材１１４は、固定用ネジ１９４，１９４が穴部１９２，１９２を貫通してネジ穴部１９３，１９３に挿入され、ネジ結合されることで固定される。固定用ネジ１９４，１９４と穴部１９２，１９２との間には、スプリングワッシャ１９５，１９５およびワッシャ１９６，１９６が配置され、穴部１９２，１９２とネジ穴部１９３，１９３との間には、ワッシャ１９７，１９７が配置されている。これらの縦断面図が、後述する図１８となる。
【００６７】
図１６は、反射ミラー１１０とミラー第１保持部材１１３とミラー第２保持部材１１４が結合されたものと、ミラー第１保持部材１１３とミラー第２保持部材１１４の位置関係を調節する調節用ネジ２０１，２０１の分解斜視図であり、図１７は、図１６の紙面奥側から見た図である。図１８は、図１６において、調節用ネジ２０１，２０１が穴部２０２，２０２に挿入された場合のＦ−Ｆ断面概要図である。
【００６８】
調節用ネジ２０１，２０１を穴部２０２，２０２に挿入すると、図１６における上下方向の軸を回転軸Ｐ’とした反射ミラー１１０の回転に基づく位置ずれを調整できる。図１８に示すように、穴部２０２に調節用ネジ２０１を挿入し、穴部２０２と空間が重なり合うミラー第２保持部材１１４のネジ穴２０３（図１５にも記載）にさらに挿入されている。穴部２０２とネジ穴２０３との間には、空間２０４が形成されており、空間２０４に圧縮バネ２０５が配置される。
【００６９】
圧縮バネ２０５を介して穴部２０２とネジ穴２０３の双方を挿通する調整用ネジ２０１のネジ力および圧縮バネ２０５の弾性力によって、ミラー第１保持部材１１３とミラー第２保持部材１１４の距離が調節されている。
【００７０】
ここで、調整用ネジ２０１は、ネジ穴２０３の内壁面に形成されたネジ山と適合するネジ溝を有しており、調整用ネジ２０１を回転させることで、ミラー第１保持部材１１３とミラー第２保持部材１１４の距離が変化するように構成されている。この距離は、小さくさせることで圧縮バネ２０５の付勢力を高め、大きくすることで圧縮バネ２０５の付勢力が弱まるように構成されている。
【００７１】
図１９は、反射ミラー１１０とミラー第１保持部材１１３とミラー第２保持部材１１４が結合されたものと、固定部材１２０の分解斜視図であり、図２０は、図１９の紙面奥側から見た図である。図２１は、図１９において反射ミラー１１０とミラー第１保持部材１１３とミラー第２保持部材１１４と固定部材１２０が結合されたもののＧ−Ｇ断面概要図である。
【００７２】
ミラー第１保持部材１１３の陥没部１９１，１９１とリブ１４３，１４３との間のコーナー部２１１，２１１の底面２１２，２１２には、穴部２１３，２１３が形成されている。底面２１２，２１２の上方から、固定用ネジ２１４，２１４が、スプリングワッシャ２１５，２１５およびワッシャ２１６，２１６を貫通して穴部２１３，２１３を挿通し、さらにワッシャ２１７，２１７を貫通して固定用ネジ穴部２１８，２１８に螺合される。その螺合によって、ミラー第２保持部材１１４と固定部材１２０が固定される。
【００７３】
また、底面２１２，２１２から図１９，図２０の下側へ延在するサイド板２１９，２１９には、ミラー第２保持部材１１４と固定部材１２０との、図１０におけるＸ軸方向の位置調整用のネジ穴２２０，２２０が形成されている。ネジ穴２２０，２２０に位置調整用ネジ２２１，２２１が螺合しながら挿入されていくと、固定部材１２０の壁部２２２，２２２にぶつかる。そのぶつかった後でさらに位置調整用ネジ２２１，２２１の挿入を進めると、ミラー第２保持部材１１４と固定部材１２０とのＸ軸方向の距離を調整することができる。
【００７４】
（第２の実施の形態に係る光学部材１００の各構成部材相互の位置関係の調整）
まず、図６に示す各種部材を設置するためのコリメータ８９のステージ８９ａと、ステージ８９ａの上方に固定された検査用の光を放射するコリメータ８９の光源部８９ｂとの位置および角度を、調整部８９ｃによって調整して、光源部８９ｂから放射される光の光軸Ｌａとステージ８９ｂの上面８９ｄとが実質的に垂直となるように調整を行う。
【００７５】
その後、鏡筒１０１の基準面２３０（図８参照）を設置した際に、鏡筒１０１の鏡筒基準面２３４（図９参照、正確には後述の反射ミラー９３に相当する部材）及び反射ミラー１１０の平面１１２とが、光源部８９ｂから放射される光の光軸Ｌａ上にくるように。鏡筒１０１の位置を調整してステージ８９ａの上面８９ｄに設置・固定する。このとき、ステージ８９ａに設置・固定された鏡筒１０１の基準面２３０は、ステージ８９ａの上面８９ｄと実質的に平行となる。
【００７６】
図８に示すように、この基準面２３０は、全体形状がリング状である。同様に全体形状がリング状の基準面部材係合部２３１が、ビス２３２，２３２，２３２によって鏡筒１０１の周面に周方向１２０°間隔に３箇所固定されている。
【００７７】
なお、鏡筒基準面２３４と光軸Ｌ’とは製造過程でほぼ確実に垂直の関係となる。また、同時に基準面２３０もビス２３２で鏡筒１０１へ固定する際に光軸Ｌ’と垂直の関係となる。よって鏡筒基準面２３４と基準面２３０は組み立てた時点で実質的に平行となっている。
【００７８】
次に、鏡筒１０１とコリメータ８９の位置関係を維持したまま固定部材１２０を鏡筒１０１に取り付け、さらに、固定部材１２０に反射ミラー１１０を取り付ける。その際には、コリメータ８９から、反射ミラー１１０の平面１１２に向けて光を放射し、反射して来る光によって、基準面２３０と平面１１２とが、実質的に平行かどうかを確認する。基準面２３０と平面１１２とが、実質的に平行でない場合には、図１２，図１３に示すネジ１７２、図１８に示す調節用ネジ２０１および図１９，図２０に示す位置調整用ネジ２２１を用いて、実質的に平行となるまで調整する。
【００７９】
ここで、実質的に平行とは、完全に平行な場合と、１５分以下、または１０分以下、または５分以下の角度のズレを許容した略平行な場合との両者を含むこととする。また、実質的に垂直とは、完全に垂直な場合と、１５分以下、または１０分以下、または５分以下の角度のズレを許容した略垂直な場合との両者を含むこととする。
【００８０】
以上によって、第２の実施の形態に係る光学部材１００の各構成部材相互の位置関係の調整がなされる。この光学部材１００を、パーソナルコンピュータのディスプレイ画面を拡大投射するプロジェクター等の光学機器の本体に取り付ける際に、鏡筒１０１の基準面２３０に基いて取り付けることで、光学機器の各構成部材の位置関係が正確となる。
【００８１】
（本発明の実施の形態によって得られる主な効果）
本発明の第１および第２の実施の形態に係る光学部材１，１００は、それぞれ反射ミラー２０，１１０を有している。反射ミラー２０，１１０は、その曲面２１，１１１の裏側面が、鏡筒１０と反射ミラー２０、または鏡筒１０１と反射ミラー１１０との相互位置関係調整用の平面２２，１１２を有している。そのため、コリメータ等を用いれば、固定部材３０の基準面９０、鏡筒１０１の基準面２３０等と反射ミラー２０，１１０の配置関係を実質的に平行にする等できる。よって、本発明の第１および第２の実施の形態に係る光学部材１，１００、および反射ミラー２０，１１０は、各構成部材相互の位置関係を正確にすることを可能としている。
【００８２】
また、本発明の第１および第２の実施の形態に係る光学部材１，１００は、それぞれ反射ミラー２０，１１０を有している。反射ミラー２０，１１０は、その曲面２１，１１１が放物線をその対称軸を中心として回転させた放物面であり、反射ミラー２０，１１０の曲面２１，１１１は、その裏側面に対称軸と実質的に垂直な平面２２，１１２を有している。そのため、コリメータ等を用いれば、固定部材３０の基準面９０、鏡筒１０１の基準面２３０等と反射ミラー２０，１１０の配置関係を実質的に平行にする等できる。よって、本発明の第１および第２の実施の形態に係る光学部材１，１００、および反射ミラー２０，１１０は、各構成部材相互の位置関係を正確にすることを可能としている。さらに、この対称軸は、反射ミラー２０，１１０の光軸であるため、その光軸を鏡筒１０，１０１の光軸Ｌ，Ｌ’と一致したり平行にさせたりすることも可能となる。
【００８３】
また、本発明の第１および第２の実施の形態に係る光学部材１，１００は、それぞれ反射ミラー２０，１１０を有している。反射ミラー２０，１１０は、その曲面２１，１１１が曲面の最奥部を通る反射ミラー２０，１１０の光軸と実質的に垂直の平面２２，１１２を有している。そのため、コリメータ等を用いれば、固定部材３０の基準面９０、鏡筒１０１の基準面２３０等と反射ミラー２０，１１０の配置関係を実質的に平行にする等できる。よって、本発明の第１および第２の実施の形態に係る光学部材１，１００、および反射ミラー２０，１１０は、各構成部材相互の位置関係を正確にすることを可能としている。さらに光学部材１，１００、および反射ミラー２０，１１０は、反射ミラー２０，１１０の光軸を鏡筒１０，１０１の光軸Ｌ，Ｌ’と一致させたり平行にしたりすることも可能となる。
【００８４】
このように、光学部材１，１００、および反射ミラー２０，１１０は、各構成部材相互の位置関係を正確にすることを可能とするのであるから、反射ミラー２０，１１０が有する平面２２，１１２と、鏡筒１０，１０１の光軸Ｌ，Ｌ’とを、実質的に垂直の位置関係とすることができる。
【００８５】
また、光学部材１および反射ミラー２０は、鏡筒１０および反射ミラー２０を固定する固定部材３０をさらに有し、反射ミラー２０が有する平面２２と、実質的に平行の位置関係にある平面部である基準面９０を、固定部材３０が有するようにできる。
【００８６】
また、反射ミラー２０，１１０の平面２２，１１２は、光を反射可能とすることで、図７に示す反射板９２のような部材を用意する必要がなくなる。
【００８７】
（他の形態）
上述した本発明の第１および第２の実施の形態に係る 光学部材１，１００、および反射ミラー２０，１１０は、本発明の好適な形態の一例ではあるが、これに限定されるものではなく本発明の要旨を変更しない範囲において種々の変形実施が可能である。
【００８８】
たとえば、反射ミラー２０，１１０は、その曲面２１，１１１が放物線をその対称軸を中心として回転させた放物面であり、反射ミラー２０，１１０の曲面２１，１１１は、その裏側面に対称軸と実質的に垂直な平面２２，１１２を有している。しかし、対称軸と平面２２，１１２の角度は適宜変更できる。そのように変更しても、平面２２，１１２に照射したコリメータの光がどの角度に反射するかを確認すること等で、各構成部材相互の位置関係を正確にすることができる。しかし、光学部材１，１００の各構成部材相互の位置関係の調整の容易化の観点からは、対称軸と平面２２，１１２は実質的に垂直であることが好ましい。
【００８９】
また、反射ミラー２０，１１０は、その曲面２１，１１１が曲面の最奥部を通る反射ミラー２０，１１０の光軸と実質的に垂直の平面２２，１１２を有している。しかし、反射ミラー２０，１１０の光軸と平面２２，１１２の角度は適宜変更できる。たとえば、反射ミラー２０，１１０の光軸は曲面２１，１１１の最奥部を通らない場合であっても良い。そのように変更しても、平面２２，１１２に照射したコリメータの光がどの角度に反射するかを確認すること等で、各構成部材相互の位置関係を正確にすることができる。しかし、光学部材１，１００の各構成部材相互の位置関係の調整の容易化の観点からは、反射ミラー２０，１１０の光軸と平面２２，１１２は実質的に垂直であることが好ましい。
【００９０】
また、反射ミラー２０，１１０の平面２２，１１２は、光を反射可能であるが、光を反射不可能なものとし、図７に示す反射板９２のような部材を追加して用いることとしても良い。しかし、光学部材１，１００の各構成部材相互の位置関係の調整作業の容易化の点から、平面２２，１１２は、光を反射可能であることが好ましい。
【００９１】
光学部材１，１００の各構成部材相互の位置関係の調整は、光学部材１，１００単独の組み立て時に行なっているが、光学部材１，１００が取り付けられる光学機器に、光学部材１，１００の構成部材の一部を取り付けながら行なっても良い。たとえば、光学部材１００の各構成部材相互の位置関係の調整では、鏡筒１０１とコリメータの位置の調整を終えた後、鏡筒１０１とコリメータの位置関係を維持しながら光学機器に鏡筒１０１を取り付け、その状態で鏡筒１０１と反射ミラー１１０の位置関係を調整する等しても良い。このとき、鏡筒１０１のみを光学機器に組み込んだ際に、鏡筒１０１の基準面２３０と光学機器の基準面に相当する部材との位置合わせをしておけば、光学機器の組み立てが容易となる。
【００９２】
固定部材３０，１２０は、必須の構成部材ではないため、省略することができる。たとえば、鏡筒１０，１０１と反射ミラー２０，１１０とを直接または所定の部材を介在させて固定するような構成を採用しても良い。
【００９３】
また、反射ミラー２０，１１０の曲面２１，１１１は、いわゆる非球面であるが、自由曲面等の他の曲面としても良い。
【符号の説明】
【００９４】
１，１００  光学部材
１０，１０１  鏡筒
２０，１１０  反射ミラー
２１，１１１  曲面
２２，１１２  平面
３０，１２０  固定部材
９０，２３０  基準面（平面部）
Ｌ，Ｌ’  光軸
【図１】
2019003207.tif 000003
【図２】
2019003207.tif 000004
【図３】
2019003207.tif 000005
【図４】
2019003207.tif 000006
【図５】
2019003207.tif 000007
【図６】
2019003207.tif 000008
【図７】
2019003207.tif 000009
【図８】
2019003207.tif 000010
【図９】
2019003207.tif 000011
【図１０】
2019003207.tif 000012
【図１１】
2019003207.tif 000013
【図１２】
2019003207.tif 000014
【図１３】
2019003207.tif 000015
【図１４】
2019003207.tif 000016
【図１５】
2019003207.tif 000017
【図１６】
2019003207.tif 000018
【図１７】
2019003207.tif 000019
【図１８】
2019003207.tif 000020
【図１９】
2019003207.tif 000021
【図２０】
2019003207.tif 000022
【図２１】
2019003207.tif 000023